【手続補正書】
【提出日】平成18年3月31日(2006.3.31)
【手続補正１】
【補正対象書類名】明細書
【補正対象項目名】全文
【補正方法】変更
【補正の内容】
【書類名】      明細書
【発明の名称】  可撓性を有する座席用基板、およびそれを備える椅子
【特許請求の範囲】
【請求項１】  プラスチックからなる板状の枠部内に、多数の波形の帯状片を一体的に設け、前記枠部内の一部の領域における帯状片の形状、寸法、および相互間隔のうちの少なくともいずれかを、他の領域におけるものと相違させることにより、前記一部の領域の可撓性を、他の領域の可撓性と異ならせたことを特徴とする可撓性を有する座席用基板。
【請求項２】  互いに近接する帯状片の適宜の山形部同士を、それらと一体をなす連結片をもって連結してなる請求項１記載の可撓性を有する座席用基板。
【請求項３】  互いに近接する帯状片の適宜の山形部同士を、別体をなす連結部材をもって連結してなる請求項１記載の可撓性を有する座席用基板。
【請求項４】  プラスチックにより、枠部と帯状片とを一体成形してなる請求項１〜３のいずれかに記載の可撓性を有する座席用基板。
【請求項５】  プラスチック板をプレス加工して形成してなる請求項１〜３のいずれかに記載の可撓性を有する座席用基板。
【請求項６】  請求項１〜５のいずれかに記載の可撓性を有する座席用基板を備える椅子。
【発明の詳細な説明】
【０００１】
【発明の属する技術分野】
本発明は、可撓性を有する座席用基板、およびそれを備える椅子に関する。
【０００２】
【従来の技術】
従来、椅子の座や背もたれのように、身体全体を支えるためのクッション機構には、大きく分けて３種がある。
第１は、身体の曲線に基づく３次元曲面の基板の表面に、発泡ポリウレタンや綿などのクッション材を張ったものである。これによると、基板の形状と身体の曲線が一致したときに最適の座り心地が得られるが、体を動かしたときには違和感を感じることとなる。また、身体の微妙な形状とその変化に対応するのは、クッション材の伸縮性のみであるため、様々の体格の差異に対応するには、適度の硬さで、厚手のクッション材が必要である。もしクッション材が薄すぎては底付きすることがあり、硬すぎては、身体にうまくフィットしない。
【０００３】
第２のものは、基板の代わりに、ネットやキャンバスを用いたものである。特に伸縮性のあるネットを用いると、身体の形状にフィットし、身体の動きにも追随して、好適な座り心地が保たれるが、構造上、常にネットやキャンバスを張力を掛けた状態に保持するための材料が必要である。しかし、座の前縁部や背もたれの上端等において、枠材が身体に当たり、不快感を感じることがある。また当らないようにするために、この部分を逃げて作った物では、十分な支持面積を得ることかができない。さらに、もしネットに孔などがあいた場合には、直ちに張り替える必要がある。
【０００４】
第３のものは、第１のものと第２のものの中間ともいうべきもので、プラスチック樹脂で作られた基板に開口を設けることにより、基板の強度を落とし、体重がかかったときに基板がたわむのを利用して、クッション性を得ようとするものである。しかしこのような基板では、どの部分をどれ位のクッション性を有するものにするか設定することは困難であり、また開口している部分と開口していない部分の境目のたわみは小さく、開口の中心部分のたわみは大きく、その偏りが問題となる。
【０００５】
【発明が解決しようとする課題】
本発明は、簡単な構造で着席者の身体にフィットすることができ、かつ身体の動きに追随して適切に身体を心地よく支えることができるようにした、椅子の座や背もたれ等可撓性を有する座席用基板、およびそれを備える椅子を提供することを目的とする。
【０００６】
【課題を解決するための手段】
上記目的を達成するための本発明の構成は、次の如くである。
（１）プラスチックからなる板状の枠部内に、多数の波形の帯状片を一体的に設け、前記枠部内の一部の領域における帯状片の形状、寸法、および相互間隔のうちの少なくともいずれかを、他の領域におけるものと相違させることにより、前記一部の領域の可撓性を、他の領域の可撓性と異ならせる。
【０００７】
（２）上記(１)項において、互いに近接する帯状片の適宜の山形部同士を、それらと一体をなす連結片をもって連結する。
【０００８】
（３）上記(１)項において、互いに近接する帯状片の適宜の山形部同士を、別体をなす連結部材をもって連結する。
【０００９】
（４）上記(１)〜(３)項のいずれかにおいて、プラスチックにより、枠部と帯状片とを一体成形する。
【００１０】
（５）上記(１)〜(３)項のいずれかにおいて、プラスチック板をプレス加工して形成する。
【００１１】
（６）椅子において、上記(１)〜(５)項のいずれかの可撓性を有する座席用基板を備えるものとする。
【００１２】
【発明の実施の形態】
本発明は、椅子の背もたれにも座にも適用しうるが、以下、背もたれに適用した場合の実施の形態について述べる。
【００１３】
図１は、第１の実施の形態を示す。
背もたれの基板(１)は、角状の枠部(２)の左右側杆(３)(３)にまたがるように、左右方向を向き、かつほぼ一定の間隔をもって上下方向に並ぶ多数の波形の帯状片(４)を設けてなり、プラスチックからなる板状のものである。
【００１４】
帯状片(４)の幅、波形、波高、波のピッチ、上下間隔等は、すべて同一とすることもあるが、特に負荷の大きい腰部等においては、他の個所よりも剛性が大となるように、上記諸要件を定めておくのが望ましい。
【００１５】
プラスチックを成形してなる一般的な板状の基板は、実質的には可撓性を備えていないが、図１に示す基板(１)によると、板状であるにも拘らず、着席者の負荷がかかると、その部分の帯状片(４)は伸びるため撓み、着席者の身体を快適に支持することができる。
【００１６】
この基板(１)は、プラスチックを一体成形するか、またはプラスチック板を打抜き加工して形成しうるから、製造上および価格上有利である。
【００１７】
図２は、異なる実施形態を示し、図１で示した基板(１)における可撓性を小として剛性を高めたいと思う領域において、上下に並ぶ帯状片(４)(４)の近接する山形部同士を、それと一体をなす上下方向の連結片(５)をもって連結してある。
【００１８】
なお、最上段および最下段の帯状片(４)と、枠部(２)の上部横杆(６)と下部横杆(７)とは、それぞれ、上下方向を向く複数の支持片(８)をもって連結されている。
【００１９】
この実施形態によると、連結片(５)の有無により、その個所における帯状片(４)の伸び、ひいては可撓性は相違することとなり、着席者の背面各所を、最も好ましい圧迫状態で支持することができる。
【００２０】
すなわち、基板(１)における大きく撓ませたい部分、例えば着席者の腰や肩が当たる部分においては、上下方向の連結片(５)の数を少くし、荷重を強く支持する必要のある部分においては、連結片(５)の数を多くして、身体後面の各所を、最も好ましい状態で支持しうるように、かつ身体後面の全体形状に好適に適合しうるようにすることができる。
【００２１】
この基板(１)も、プラスチックを一体成形するか、プラスチック板をプレス加工して、容易かつ安価に形成することができる。
【００２２】
図３は、本発明の他の実施形態を示し、図２における上下方向の連結片(５)に代わり、上下に隣接する波形の帯状片(４)(４)における所望の対向する山形部同士を、別体とした連結部材(９)をもって連結し、かつ最上段および最下段の帯状片(４)と枠部(２)の上部横杆(６)と下部横杆(７)とを、それぞれ、上下方向を向く複数の支持部材(10)で連結してある。
【００２３】
連結部材(９)を所望の個所へ取付けたり、取外したりすることにより、基板(１)の各所における可撓性を変化させることができる。
【００２４】
図４および図５は、連結部材(９)の好ましい例を示す。
図４に示す連結部材(9-1)は、垂直支片(11)の一側上下端に、互いに対向し、かつ帯状片(４)の山形部内へ嵌入係止しうる鈎片(12)(12)を設けたものである。
【００２５】
図５に示す連結部材(9-2)は、上下方向の中間部同士を、帯状片(４)の厚さよりもやや広幅の間隔片(13)で連結した、やや可撓性のある２枚の垂直支片(14)(14)の上下端に、帯状片(４)の厚さよりもやや小寸の間隔をもって対向する係止突起(15)(15)を設けたものである。
【００２６】
図６および図７は、支持部材(10)の好ましい例を示す。
図６に示す支持部材(10-1)は、垂直支片(16)の一側上端に差込栓(17)を、同じく下端に帯状片(４)の山形部内へ嵌入係止しうる鈎片(18)を設けたものである。
【００２７】
鈎片(18)を帯状片(４)の山形部へ係止した後、差込栓(17)を、上部横杆(６)または下部横杆(７)に穿設した支持孔(19)へ嵌合することにより、支持片(10-1)は取付けられる。
【００２８】
図７に示す支持部材(10-2)は、上下方向の中間部同士を、帯状片(４)および上部横杆(６)の厚さよりもやや広幅の間隔片(20)をもって連結した、やや可撓性のある２枚の垂直支片(21)(21)の上端を、上部横杆(６)の厚さよりも若干小さな間隔をもって対向する半球状突起(22)(22)を、同じく下端に、帯状片(４)の厚さよりもやや小寸の間隔をもって対向する係止突起(23)(23)を設けたものである。
【００２９】
対向する垂直支片(21)(21)を、上部横杆(６)へ下方より（または下部横杆(７)へ上方より）嵌入し、半球状突起(22)(22)を、上部横杆(６)に穿設した支持孔(19)の表裏縁へ係合させることにより、支持部材(10-2)は取付けられる。
【００３０】
なお上記各実施の形態において、帯状片(４)を上下方向へ向けて設けることもある。
【００３１】
【発明の効果】
各請求項に記載の発明による効果は次の如くである。
請求項１、および６
本来可撓性のないプラスチック製の基板に可撓性が付与される。
また、簡単な構成で、帯状片と直交する任意の個所における可撓性を、他の個所におけるそれと相違させることができる。
【００３２】
請求項２
簡単な構成で、帯状片の方向およびそれと直交する方向の任意の個所における可撓性を、他の個所におけるそれと相違させることができる。
【００３３】
請求項３
連結部材の数および取付位置を選定することにより、基板の各所における可撓性を広汎に変化させることができる。
【００３４】
請求項４、および５
簡単かつ容易に製造することができる。
【図面の簡単な説明】
【図１】
本発明の第１の実施形態を備える椅子の一例を示す後方斜視図である。
【図２】
本発明の第２の実施形態を備える椅子の一例を示す後方斜視図である。
【図３】
本発明の第３の実施形態を備える椅子の一例を示す後方斜視図である。
【図４】
連結部材の一例を示す斜視図である。
【図５】
連結部材の他例を示す斜視図である。
【図６】
支持部材の一例を示す斜視図である。
【図７】
支持部材の他例を示す斜視図である。
【符号の説明】
(１)基板
(２)枠部
(３)側杆
(４)帯状片
(５)連結片
(６)上部横杆
(７)下部横杆
(８)支持片
(９)(9-1)(9-2)連結部材
(10)(10-1)(10-2)支持部材
(11)垂直支片
(12)鈎片
(13)間隔片
(14)垂直支片
(15)係止突起
(16)垂直支片
(17)差込栓
(18)鈎片
(19)支持孔
(20)間隔片
(21)垂直支片
(22)半球状突起
(23)係止突起
【手続補正２】
【補正対象書類名】図面
【補正対象項目名】図１
【補正方法】変更
【補正の内容】
【図１】
2000270962.tif 000001
【手続補正３】
【補正対象書類名】図面
【補正対象項目名】図２
【補正方法】変更
【補正の内容】
【図２】
2000270962.tif 000002
【手続補正４】
【補正対象書類名】図面
【補正対象項目名】図３
【補正方法】変更
【補正の内容】
【図３】
2000270962.tif 000003